(57)【要約】【課題】刈取穀稈がトウモロコシ等のように折れ難い長手状の作物の刈取作業を行う場合であっても、刈取穀稈を詰まらせることなくスムーズにフィーダ側に後方搬送させることのできる汎用コンバインを提供することを課題としている。【解決手段】走行機体２と、該走行機体２の前部に昇降可能に連結され且つ穀稈を刈取って後方に搬送する刈取部３とを備え、前記走行機体２は、該刈取部３により刈取られた刈取穀稈を脱穀する脱穀装置４を有し、前記刈取部３は、穀稈を後方に掻込むリール１３と、該リール１３の後ろ側に配置され且つ穀稈を刈取る刈刃１６Ａと、該刈刃１６Ａによって刈取られた刈取穀稈を脱穀装置４に向けて後方搬送するフィーダ９と、平面視で刈刃１６Ａの後方に配置され且つ刈取穀稈をフィーダ９に送る掻込オーガ１４とを有し、前記掻込オーガ１４の前方側には、穀稈を左右方向に倒伏させる倒伏手段２１を配置した。【選択図】図３
2019083758.tif 000002
【特許請求の範囲】
【請求項１】
走行機体（２）と、
該走行機体（２）の前部に昇降可能に連結され且つ穀稈を刈取って後方に搬送する刈取部（３）とを備え、
前記走行機体（２）は、該刈取部（３）により刈取られた刈取穀稈を脱穀する脱穀装置（４）を有し、
前記刈取部（３）は、穀稈を後方に掻込むリール（１３）と、該リール（１３）の後ろ側に配置され且つ穀稈を刈取る刈刃（１６Ａ）と、該刈刃（１６Ａ）によって刈取られた刈取穀稈を脱穀装置（４）に向けて後方搬送するフィーダ（９）と、平面視で刈刃（１６Ａ）の後方に配置され且つ刈取穀稈をフィーダ（９）に送る掻込オーガ（１４）とを有し、
前記掻込オーガ（１４）の前方側には、穀稈を左右方向に倒伏させる倒伏手段（２１）を配置した
ことを特徴とする汎用コンバイン。
【請求項２】
前記倒伏手段（２１）は、前記刈刃（１６Ａ）の前側に配置した
請求項１に記載の汎用コンバイン。
【請求項３】
前記倒伏手段（２１）は、穀稈の下部側を保持するとともに、該穀稈の保持位置よりも上方側を左右方向に押倒すことによって、穀稈を倒伏させるように構成された
請求項１に記載の汎用コンバイン。
【請求項４】
前記倒伏手段（２１）は、前記刈取部（３）の左右内側に向けて穀稈を倒伏させるように構成された
請求項１に記載の汎用コンバイン。
【発明の詳細な説明】
【技術分野】
【０００１】
本発明は、作物を収穫可能な汎用コンバインに関する。
【背景技術】
【０００２】
走行機体と、該走行機体の前部に昇降可能に連結された刈取部と、該刈取部により刈取られた刈取穀稈を脱穀する脱穀装置とを備え、前記刈取部は、穀稈を掻込むリールと、穀稈を刈取る刈刃と、刈取穀稈を前記脱穀装置に後方搬送するフィーダに送る掻込オーガとを有し、特に、前記刈刃に沿って刈取穀稈を受け止めるガイド部材を設けた特許文献１に示す汎用コンバインが従来公知になっている。
【０００３】
上記文献の汎用コンバインによれば、前記ガイド部材により刈取穀稈を受け止めることによって、穀稈が刈取られた後から掻込オーガ側に送られる前に圃場側に落下することを防止することができる。
【０００４】
しかし、該構成の汎用コンバインでは、例えば刈取穀稈がトウモロコシ等のように折れ難い長手状の作物であった場合に、該刈取穀稈が前記掻込オーガ側に寄りかかることによってフィーダ側にスムーズに後方搬送されずにフィーダの入口付近で詰まってしまう場合があり得た。
【先行技術文献】
【特許文献】
【０００５】
【特許文献１】特開２０１６−１７８９２５号公報
【発明の概要】
【発明が解決しようとする課題】
【０００６】
本発明は、刈取穀稈がトウモロコシ等のように折れ難い長手状の作物の刈取作業を行う場合であっても、刈取穀稈を詰まらせることなくスムーズにフィーダ側に後方搬送させることのできる汎用コンバインを提供することを課題としている。
【課題を解決するための手段】
【０００７】
上記課題を解決するため、本発明は、第１に、走行機体２と、該走行機体２の前部に昇降可能に連結され且つ穀稈を刈取って後方に搬送する刈取部３とを備え、前記走行機体２は、該刈取部３により刈取られた刈取穀稈を脱穀する脱穀装置４を有し、前記刈取部３は、穀稈を後方に掻込むリール１３と、該リール１３の後ろ側に配置され且つ穀稈を刈取る刈刃１６Ａと、該刈刃１６Ａによって刈取られた刈取穀稈を脱穀装置４に向けて後方搬送するフィーダ９と、平面視で刈刃１６Ａの後方に配置され且つ刈取穀稈をフィーダ９に送る掻込オーガ１４とを有し、前記掻込オーガ１４の前方側には、穀稈を左右方向に倒伏させる倒伏手段２１を配置したことを特徴としている。
【０００８】
第２に、前記倒伏手段２１は、前記刈刃１６Ａの前側に配置したことを特徴としている。
【０００９】
第３に、前記倒伏手段２１は、穀稈の下部側を保持するとともに、該穀稈の保持位置よりも上方側を左右方向に押倒すことによって、穀稈を倒伏させるように構成されたことを特徴としている。
【００１０】
第４に、前記倒伏手段２１は、前記刈取部３の左右内側に向けて穀稈を倒伏させるように構成されたことを特徴としている。
【発明の効果】
【００１１】
前記倒伏手段によれば、圃場の穀稈を左右方向に倒伏させた状態で刈取ることができるため、刈取穀稈が前記掻込オーガに寄りかかるように真後ろに倒れることによって、掻込オーガが空回りして刈取穀稈の後方搬送が滞る事態を回避することができる。これにより、刈取穀稈の後方搬送がスムーズになり、刈取作業の効率も向上する。
【００１２】
また、前記倒伏手段は、前記刈刃の前側に配置したものによれば、圃場の穀稈が刈刃によって刈取られる前に穀稈を左右方向に倒伏させることができるため、穀稈が刈取られる際には確実に倒伏させた状態にすることができる。
【００１３】
また、前記倒伏手段は、穀稈の下部側を保持するとともに、該穀稈の保持位置よりも上方側を左右方向に押倒すことによって、穀稈を倒伏させるように構成されたものによれば、穀稈の株元側の左右方向への倒伏が梃の原理によってスムーズ且つ確実に行われる。
【００１４】
なお、前記倒伏手段は、前記刈取部の左右内側に向けて穀稈を倒伏させるように構成されたものによれば、倒伏手段によって左右方向に倒伏される穀稈が刈取部の左右方向外側にこぼれることを防止できる。
【図面の簡単な説明】
【００１５】
【図１】本発明を適用した汎用コンバインの全体側面図である。
【図２】刈取部を示した要部側面図である。
【図３】刈取部を示した要部平面図である。
【図４】刈取部を示した要部斜視図である。
【図５】倒伏ガイドを示した側面図である。
【図６】（Ａ）は、倒伏ガイドの取付状態を示した要部斜視図であり、（Ｂ）は、倒伏ガイドの取付状態を示した分解図である。
【図７】倒伏ガイドの作用を示したモデル図である。
【発明を実施するための形態】
【００１６】
図１は、本発明を適用した汎用コンバインの全体側面図であり、図２乃至４は、刈取部を示した要部側面図、要部平面図、要部斜視図である。図示する汎用コンバインは、左右一対のクローラ式走行装置１，１を有する走行機体２と、該走行機体２の前方に昇降自在に連結された刈取部３とを備えている。
【００１７】
前記走行機体２は、その左側半部には、前記刈取部３で刈取られた圃場の穀稈の脱穀処理を行うとともに脱穀処理された処理物から穀粒を選別する脱穀装置４が設置され、その右側半部には、脱穀装置４で選別された穀粒が貯留されるグレンタンク６が設置され、該グレンタンク６の前方には、オペレータが乗込む操縦部７が設置されている。
【００１８】
前記刈取部３は、刈取った作物を脱穀装置４側に搬送するフィーダ８と、該フィーダ８の前端側に連結された前面及び上面が開放された箱状の刈取フレーム９と、該刈取フレーム９を構成する左右の側壁９ａの前端側に取付けられた分草体１１と、該刈取フレーム９の上方に支持された前後方向の支持アーム１２の前端側に回転可能に架設支持されたリール１３と、該刈取フレーム９の左右の側壁９ａ，９ａ間に形成された底板９ｂ上に軸回転可能に支持された左右方向の掻込オーガ１４と、該掻込オーガ１４の前方に配置されて刈刃１６Ａが左右方向に往復駆動する（レシプロ式の）刈取装置１６とを備えている。
【００１９】
上記掻込オーガ１４は、左右方向に延びる円筒状に形成されて軸回転する本体部１７と、該本体部１７の外周面に沿って螺旋状に取付けられた搬送板１８と、本体部１７の軸方向外側に向かって突設された搬送棒１９とを有し、該搬送板１８及び搬送棒１９によって、前記刈取装置１６によって株元が刈取られた刈取穀稈をスムーズに前記フィーダ９側まで後方搬送することができる（図３及び図４参照）。
【００２０】
ちなみに、該掻込オーガ１４の前方には、刈取装置１６によって刈取られる穀稈を左右方向に倒伏するための倒伏ガイド（倒伏手段）２１が設けられている。該倒伏ガイド２１の具体的な構成については後述する。
【００２１】
上記フィーダ９は、刈取った穀稈を後方搬送する前後方向のフィーダコンベア２２を備え、全体が走行機体２の前記操縦部７の側方に位置するとともに、該フィーダ９の後端部が走行機体２の前部に支持されている。
【００２２】
また、該刈取部３と、走行機体２の前部との間には、該刈取部３を走行機体２に対して昇降作動させる油圧式のリフトシリンダ１０が設けられている。これにより、該リフトシリンダ１０の伸長作動によって刈取部３全体が走行機体２に対して上昇作動する一方で、該リフトシリンダ１０の縮小作動によって刈取部３全体が走行機体に対して下降作動するように構成されている。
【００２３】
前記リール１３は、支持アーム１２側に取付けられた昇降シリンダ１５の伸縮作動によって、刈取フレーム９に対して昇降作動するように構成されている。また、該リール１３は、軸回転する側面視多角形状（図示する例では６角形状）の左右一対のサイドフレーム２３，２３を有し、互いに離間した状態で平行に対向配置されたサイドフレーム２３の頂点部分同士をそれぞれ左右方向の横フレーム２４によって連結固定することによって、周囲及び左右両側が内外で連通し且つ内部が空洞となる角柱状に成型されており、該横フレーム２４には、下降突出するリールタイン２６が所定間隔毎に複数設置されている（図４参照）。
【００２４】
該構成によれば、回転するリール１３によって掻込まれた圃場の作物の穀稈は、後述する倒伏ガイド２１によって左方向又は右方向に倒伏されながら、左右に往復スライド駆動される刈刃１６Ａによって刈取られ、刈取られた刈取穀稈が前記掻込オーガ１３によってフィーダ９側に掻込まれる。フィーダ９側に導入された作物の穀稈は、フィーダコンベア２２によって前記脱穀装置４側まで後方搬送される。
【００２５】
前記脱穀装置４は、該脱穀装置４の上側であって前記フィーダ９から搬送される刈取穀稈の脱穀作業を行う脱穀部２７と、脱穀装置４の下側であって前記脱穀部２７により脱穀された処理物を穀粒と藁屑等の排塵物とに選別する選別部２８とから構成されている。
【００２６】
前記脱穀部２７は、前記フィーダ９の後端側から刈取穀稈の全部が投入される扱室２９と、該扱室２９内で前後方向の軸回りに回転駆動可能に支持された円筒状の扱胴３１と、該扱胴３１の下方で該扱胴の形状に沿って背面視で中央が窪んだ円弧状の受網（図示しない）とを備えている。
【００２７】
該構成により、フィーダ９によって扱室２９に全稈投入された刈取穀稈は、回転駆動される扱胴３１によって扱降し処理（脱穀処理）されることによって排藁となり、該排藁は扱室２９の後方の排出部３２から機外へと排出される。その一方で、扱胴３１によって扱降ろされた処理物は、籾などの穀粒と藁屑等とを含んでおり、該処理物は、受網で受け止められるとともに下方側に漏下することで選別部２８側に導入される。
【００２８】
前記選別部２８は、前記受網から漏下した処理物を揺動選別する揺動選別体３３と、該揺動選別体３３の前方下方側に配置されて後方上側に向けて選別風を送風する唐箕ファン３４と、選別後の排塵物を機外へ排出する二番選別ファン３６と、唐箕ファン３４によって選別された１番物である穀粒を回収する１番ラセン３７と、２番物を回収する２番ラセン３８とを備えている。
【００２９】
該構成により、揺動選別体３３で選別されて漏下した処理物は、唐箕ファン３４によって起風された選別風の影響を殆ど受けずに選別部２８の前後方向中央（１番ラセン３７）よりも前方に落下して前記１番ラセン３７により回収される１番物と、選別風の影響を若干受けて１番ラセン３７よりも後方に落下して前記２番ラセン３８によって回収される２番物とに風選され、藁屑等は上記選別風によって排出部３２から機外に飛ばされる。
【００３０】
該１番ラセン３７によって回収された穀粒は、該一番ラセン３７の搬送端側に設けた穀粒搬送装置（図示しない）によって上方搬送されることによって、前記グレンタンク６の上部側からグレンタンク６内へと投入される。なお、該グレンタンク６内に貯留された穀粒はオーガ３９を介して機外へと排出される。
【００３１】
次に、図２乃至７に基づいて、前記倒伏ガイドの構成について説明する。図５は、倒伏ガイドを示した側面図であり、図６（Ａ）は、倒伏ガイドの取付状態を示した要部斜視図であり、図６（Ｂ）は、倒伏ガイドの取付状態を示した分解図であり、図７は、倒伏ガイドの作用を示したモデル図である。
【００３２】
前記倒伏ガイド２１は、前記刈取装置の下面側に突出するように取付けられる取付部材４１と、該取付部材の前部側に着脱可能にボルト固定されて且つ前記刈取装置１６の前側から前方上側に向かって傾斜するように延設されたガイド部材４２と、該ガイド部材４２の左右一方側に着脱可能にボルト固定される断面アングル状に形成された倒伏部材４３とを備えている。
【００３３】
前記取付部材４１は、基端側に刈取装置１６の基端部下面側にボルト固定されるガイド支持部４４が形成され、該ガイド支持部４４から刈取装置１６に沿って前方に延設され、その中途部が上方に向かって屈曲形成されている（図５参照）。
【００３４】
また、該取付部材４１の先端側は、刈取装置の先端の前方上側まで延設されるとともに、その先端部分が水平（下方）方向に若干屈曲形成され、前記ガイド部材４２が着脱可能に取付けられる一対の取付孔４６，４６が穿設されている（図６（Ｂ）参照）。
【００３５】
該構成によれば、前記取付部材４１は、前記ガイド支持部４４を介して、左右方向の前記刈取装置１６の下面側に着脱可能にボルト固定することができるため、前記ガイド部材４２（倒伏ガイド２１）が必要な位置に取付けられる。
【００３６】
前記ガイド部材４２は、前記取付部材４１の前部上面側と前記刈取装置１６の上面側との間に架け渡されるように載置される前後方向の支持部４７と、該支持部４７の前端側から前方上方に向けて延設された株元ガイド部４８とが形成されている。該ガイド部材４２は、該株元ガイド部４８の基端側に穿設された取付孔４８ａと、前記取付部材４１側のガイド取付孔４６とを介して、刈取装置１６の前側に着脱可能にボルト固定される（図６（Ｂ）参照）。
【００３７】
上記株元ガイド部４８は、その前部側は前後方向中途部から先端に向かって徐々に幅狭となって先端が鋭角状に形成された板状部材であって、該株元ガイド部４８の中央上面側には、前後方向に延設された棒状の補強部材４９が溶着等されている。
【００３８】
また、該株元ガイド部４８の基端側は、その左右両側を上方に屈曲することにより前側固定部５１が形成されており、該前側固定部５１には、前記倒伏部材４３の前側が取付支持するための前後一対の取付孔５１ａ，５１ａが左右にそれぞれ穿設されている。
【００３９】
該構成によれば、前記ガイド部材４２は、前記刈取装置１６側から前方上方に向かって延設され、その先端側が徐々に幅狭となる鋭角状に形成されたことによって、前記刈取装置１６によって刈取られる圃場の穀稈は、隣接するガイド部材４２，４２の間に順次案内されるため、前記倒伏部材４３による穀稈の倒伏と、前記刈取装置１６による穀稈の刈取とを詰まらせることなくスムーズに行うことができる。
【００４０】
また、前記ガイド部材４２は、前記刈取部３が前記リフトシリンダ１０によって最下降位置から前方上方に向けて押上げるようにして上昇作動するように構成されているため、前記刈取部３が最下降位置まで下降された状態では、ガイド部材４２が側面視で略水平な水平姿勢となる一方で、前記刈取部３が刈取作業を行う刈高さまで上昇作動された状態では、ガイド部材４２が側面視で前高後低の傾斜姿勢となるように構成されている。なお、該ガイド部材４２の取付角度はこれに限られず、刈取部３が刈取高さまで上昇された場合に、前記水平姿勢となるように構成しても良い。
【００４１】
上記支持部４７は、後端側には左右中央に前方に向かって凹設された凹設部４７ａが形成されている。また、該支持部４７の左右両側にはアングル状部材であって前記倒伏部材４３の後側が取付支持される一対の後側固定部５２，５２が取付固定されており、該後側固定部５１には前記倒伏部材４３が取付けるための取付孔５１ａが穿設されている（図６等参照）。
【００４２】
該構成によれば、前記前側固定部５１と後側固定部５２とは、前記ガイド部材４２の左右両側に設けられているため、前記倒伏部材４３は、ガイド部材４２の左右両端のどちらにも取付けることができるように構成されている。
【００４３】
すなわち、倒伏ガイド２１の左側に倒伏部材４３を取付ける場合と、倒伏ガイド２１の右側に倒伏部材４３を取付ける場合とで、同一形状のガイド部材４２を兼用して用いることができるため、部品点数の種類を削減して製造コストを低く抑えることができる。
【００４４】
前記倒伏部材４３は、前記ガイド部材４２の左右側方側に取付けられる板状部材であって、前側固定部５１及び後側固定部５２に取付固定するための取付孔４３ａ，４３ｂ，４３ｃが前後方向に複数（図示する例では３カ所）並べて穿設されており、該倒伏部材４３の上端側には、左右一方側、具体的には取付けられるガイド部材４２と反対側に向けて屈曲形成された屈曲部５３が形成されている。
【００４５】
上記取付孔４３ａ，４３ｂ，４３ｃは、上下方向に長い溝状に形成されることによって、前記ガイド部材４２に取付けられる倒伏部材４３の上下位置を調整することができるように構成されている。このため、刈取対象の作物の大きさに応じて倒伏するために左右一方側に折り曲げる穀稈の高さ位置を調整することができる（図６（Ｂ）参照）。
【００４６】
上記屈曲部５３は、後方に向かって徐々に幅広となるように形成されており、平面視で直角三角形状となるように構成されている（図３及び図６参照）。このとき、該屈曲部５３の左右幅は、隣接して配置される倒伏ガイド２１，２１同士の間の距離よりも短く、より具体的には、刈取装置１６の刈刃１６Ａの歯幅の半分程度となるように形成されている。
【００４７】
ちなみに、該屈曲部５３の左右幅は、隣接する倒伏ガイド２１に到達する範囲まで広く形成することにより、平面視で屈曲部５３の後端側が隣接する倒伏ガイド２１のガイド部材４２とラップするように構成しても良い。該構成によれば、ガイド部材４２によって刈取装置１６の前方まで案内された穀稈の株元側をより確実に左右一方側へ倒伏させることができる。
【００４８】
上述の倒伏ガイド２１は、刈取フレーム９（刈取装置１６）の左右幅全体に亘って左右方向に複数並べて設けられるとともに、左右方向に並べて配置される各倒伏ガイド２１，２１同士の間は、前記刈取装置１６の刈刃１６Ａの歯幅程度の間隔を空けて取付けられている（図２等参照）。
【００４９】
また、該倒伏ガイド２１は、刈取装置１６の右側半部に取付けられた前記倒伏部材４３は、前記屈曲部５３が左右左側に延設される方向に取付けられ、刈取装置１６の左側半部に取付けられた前記倒伏部材４３は、前記屈曲部５３が左右右側に延設される方向に取付けられるように構成されている。言い換えると、前記倒伏部材４３は、刈取られる圃場の穀稈を刈取部３の中心に向かう左右内側に倒伏させるように構成されている（図３及び図７参照）。
【００５０】
具体的には、刈幅の略中心で、且つフィーダ入口寄りに配置された前記倒伏ガイド２１を中心ガイド２１Ｃとして設定し、各倒伏ガイド２１（倒伏部材３３）は、刈取穀稈を中心ガイド２１Ｃに向けて倒伏させるように設定されて（取付けられて）いる（図３参照）。このとき、中心ガイド２１Ｃの位置は、前記ガイド部材４２に取付けられる倒伏部材４３を組み替えることによって容易に変更することができるように構成されている。
【００５１】
なお、前記中心ガイド２１Ｃは、刈幅の中心に配置された倒伏ガイド２１や、フィーダの左右中心に配置された倒伏ガイド２１を選択しても良い。ちなみに、図示する例では、左から５番目に配置された前記倒伏ガイド２１が左右方向の中心に配置された中心ガイド２１Ｃとして設定されている。
【００５２】
すなわち、上述の構成の倒伏ガイド２１によれば、隣接する倒伏ガイド２１の間に案内された圃場の穀稈は、前記株元ガイド４８（さらに具体的には前側固定部５１の上端側）によって左右内側を支点として株元側を押さえられながら、該支点の上方且つ株元の左右外側を前記屈曲部５３によって左右内側に向けて徐々に押出されるように構成されて。このため、該倒伏ガイド２１は、穀稈の株元側を左右一方側に折曲げて穀稈を倒伏させることができる（図７参照）。
【００５３】
このとき、倒伏ガイド２１によって左右方向一方側に倒伏される穀稈（収穫物）は、必ず刈取部３の左右方向中心側に向かって倒伏されるため、穀稈が刈取部３の左右外側方向に倒伏されて刈取部３側から圃場に零れ落ちる事態を確実に防止できる。
【００５４】
上述の構成によれば、圃場の穀稈は、前記倒伏ガイド２１によって左右方向一方側に倒伏された状態で刈取られることにより、前記掻込オーガ１４側に供給される刈取穀稈が必ず左右方向に傾いた状態となる。
【００５５】
これにより、例えば、刈取対象がトウモロコシ等のように比較的長手状で折れ難く（又は撓り難く）且つ枝葉等が少ない穀稈の場合、該刈取穀稈が、掻込オーガ１４の搬送棒１９の移動方向に対して略平行となるように真後ろに寄りかかるように倒れると、搬送棒１９等への引っ掛かりが少なくなって刈取穀稈が十分に掻込めない虞があるところ、本発明では、刈取穀稈が左右方向に傾けられるため、搬送棒１９等が刈取穀稈に引っ掛かり易くなる。
【符号の説明】
【００５６】
２    走行機体
３    刈取部
４    脱穀装置
９    フィーダ
１３    リール
１４    掻込オーガ
１６Ａ  刈刃
２１    倒伏ガイド（倒伏手段）
【図１】
2019083758.tif 000003
【図２】
2019083758.tif 000004
【図３】
2019083758.tif 000005
【図４】
2019083758.tif 000006
【図５】
2019083758.tif 000007
【図６】
2019083758.tif 000008
【図７】
2019083758.tif 000009